(57)【要約】【課題】建付精度の影響や引戸が反動で戸当たりとの間に隙間が空くことによって、引戸の木口面が戸当たりに密着状態で当接していない場合でも、引戸の下部の振れ防止効果を確実に発揮できるとともに、歩行の障害にならない引戸用戸当たり装置を提供すること。【解決手段】戸当たり１が、弾性体からなる戸当たり本体１１と、この戸当たり本体１１に組み込まれた磁性部材１２とからなり、当設部材２が、当設部材本体２１に出没可能に組み込まれた、戸当たり本体１１に組み込まれた磁性部材１２と磁着する磁性部材２２と、この磁性部材２２を当設部材本体２１内に没入する方向に付勢するばね部材２３とからなり、戸当たり本体１１の当設部材２と対する面に、当設部材本体２１に組み込まれた磁性部材２２の先端部が突出した状態で嵌まり込む凹部１３を形成してなる。【選択図】図１
2019199685.tif 000002
【特許請求の範囲】
【請求項１】
床面に設置される戸当たりと、引戸の前記戸当たりに対応する位置に設置される当設部材とからなる引戸用戸当たり装置において、前記戸当たりが、弾性体からなる戸当たり本体と、該戸当たり本体に組み込まれた磁性部材とからなり、前記当設部材が、当設部材本体に出没可能に組み込まれた、前記戸当たり本体に組み込まれた磁性部材と磁着する磁性部材と、該磁性部材を当設部材本体内に没入する方向に付勢するばね部材とからなり、前記戸当たり本体の当設部材と対する面に、前記当設部材本体に組み込まれた磁性部材の先端部が突出した状態で嵌まり込む凹部を形成してなることを特徴とする引戸用戸当たり装置。
【請求項２】
前記戸当たり本体に組み込まれた磁性部材が、磁性金属製の床面設置部材からなり、該床面設置部材を床面に設置した状態で戸当たり本体で覆うようにされてなることを特徴とする請求項１に記載の引戸用戸当たり装置。
【請求項３】
戸枠の縦枠部材に設置される戸当たりと、引戸の前記戸当たりに対応する位置に設置される当設部材とからなる引戸用戸当たり装置において、前記戸当たりが、磁性部材からなり、前記当設部材が、当設部材本体に出没可能に組み込まれた、前記戸当たりの磁性部材と磁着する磁性部材と、該磁性部材を当設部材本体内に没入する方向に付勢するばね部材とからなることを特徴とする引戸用戸当たり装置。
【発明の詳細な説明】
【技術分野】
【０００１】
本発明は、引戸、特に、アウトセット（外付け）引戸に好適に用いることができる戸当たり装置に関するものである。
【背景技術】
【０００２】
従来、家屋の開口部に外付けにより取り付けられるアウトセット引戸が知られており、開口部の内部に設置する引戸に比べて簡易に設置することかできるという利点を有することから、改造や新築家屋において多用されている。
【０００３】
ところで、アウトセット引戸は、引戸を開閉位置でオーバーランすることなく所定位置で停止させるために、戸当たりを設置する必要があるが、特に、吊戸式のアウトセット引戸の場合、通常、上部を吊車を介して２点で支持し、下部を振れ止めを介して１点で支持する３点支持構造を採用するようにしているため、戸先及び戸尻の位置が安定せず、引戸が揺れたり、ガタつき音が発生するという問題があった。
そして、戸先及び戸尻の位置が安定せず、引戸が揺れたり、ガタつき音が発生するという問題は、吊戸式のアウトセット引戸以外の吊戸式の引戸や下レール式の一般的な引戸においても、建付精度の影響や引戸が反動で戸当たりや戸枠の縦枠部材との間に隙間が空くことによって生じることがあるため、その対策が要請されていた。
【０００４】
そこで、戸当たりに引戸の下部の振れ防止機能を持たせるようにしたものが提案されている（例えば、特許文献１参照。）。
【先行技術文献】
【特許文献】
【０００５】
【特許文献１】特開２０１１−９９３０８号公報
【発明の概要】
【発明が解決しようとする課題】
【０００６】
ところで、上記特許文献１に開示された引戸の下部の振れ防止機能を持たせるようにした戸当たりは、床面に設置される戸当たりのカバー部材が、引戸の木口面が当接するための平面状の当接面と、この当接面から突出するようにカバー部材の底部から頂部方向に向かって一体的に形成された凸条部とを備え、該凸条部は当接面から離れるにつれて狭幅となるように傾斜した側面を備えた台形断面形状を有しており、前記凸条部が引戸の振止用案内溝の開口部内に侵入した際に傾斜した側面が振止用案内溝の内壁に当接して嵌合するように構成されている。
この戸当たりは、引戸の下部の振れ防止効果を奏するものであるが、引戸の木口面が戸当たりに密着状態で当接していないと、引戸の下部の振れ防止効果が低下したり、奏せられなくなるという問題があった。
また、この戸当たりは、引戸の木口面が当接する当接面から一体的に形成された凸条部が、開口部に突出することになるため、歩行時に蹴躓くおそれがあった。
【０００７】
本発明は、上記特許文献１に開示された引戸の下部の振れ防止機能を持たせるようにした戸当たりの有する問題点に鑑み、建付精度の影響や引戸が反動で戸当たりとの間に隙間が空くことによって、引戸の木口面が戸当たりに密着状態で当接していない場合でも、引戸の下部の振れ防止効果を確実に発揮できるとともに、歩行の障害にならない引戸用戸当たり装置を提供することを目的とする。
【課題を解決するための手段】
【０００８】
上記目的を達成するため、本第１発明の引戸用戸当たり装置は、床面に設置される戸当たりと、引戸の前記戸当たりに対応する位置に設置される当設部材とからなる引戸用戸当たり装置において、前記戸当たりが、弾性体からなる戸当たり本体と、該戸当たり本体に組み込まれた磁性部材とからなり、前記当設部材が、当設部材本体に出没可能に組み込まれた、前記戸当たり本体に組み込まれた磁性部材と磁着する磁性部材と、該磁性部材を当設部材本体内に没入する方向に付勢するばね部材とからなり、前記戸当たり本体の当設部材と対する面に、前記当設部材本体に組み込まれた磁性部材の先端部が突出した状態で嵌まり込む凹部を形成してなることを特徴とする。
【０００９】
この場合において、前記戸当たり本体に組み込まれた磁性部材が、磁性金属製の床面設置部材からなり、該床面設置部材を床面に設置した状態で戸当たり本体で覆うようにされてなるようにすることができる。
【００１０】
また、上記目的を達成するため、本第２発明の引戸用戸当たり装置は、戸枠の縦枠部材に設置される戸当たりと、引戸の前記戸当たりに対応する位置に設置される当設部材とからなる引戸用戸当たり装置において、前記戸当たりが、磁性部材からなり、前記当設部材が、当設部材本体に出没可能に組み込まれた、前記戸当たりの磁性部材と磁着する磁性部材と、該磁性部材を当設部材本体内に没入する方向に付勢するばね部材とからなることを特徴とする。
【発明の効果】
【００１１】
本第１発明の引戸用戸当たり装置によれば、床面に設置される戸当たりの弾性体からなる戸当たり本体によって、引戸を開閉位置でオーバーランすることなく所定位置で停止させることができるとともに、建付精度の影響や引戸が反動で戸当たりとの間に隙間が空くことによって、引戸の木口面が戸当たりに密着状態で当接していない場合でも、戸当たり本体の当設部材と対する面に形成した凹部に、当設部材本体に組み込まれた磁性部材の先端部が、戸当たり本体に組み込まれた磁性部材と磁着することによってばね部材の付勢力に抗して突出した状態で嵌まり込むことで、引戸の下部の振れ防止効果を確実に発揮するようにすることができる。
また、本発明の引戸用戸当たり装置は、引戸が開放状態のときに、戸当たり及び当設部材に歩行の障害になる開口部に突出する部分がないため、蹴躓くことがなく歩行者にとって安全性が高いものである。
【００１２】
また、前記戸当たり本体に組み込まれた磁性部材が、磁性金属製の床面設置部材からなり、該床面設置部材を床面に設置した状態で戸当たり本体で覆うようにされてなるようにすることにより、床面に設置される戸当たりを、簡易な構造で、床面に強固に設置するようにすることができる。
【００１３】
また、本第２発明の引戸用戸当たり装置によれば、建付精度の影響や引戸が反動で戸当たりとの間に隙間が空くことによって、引戸の木口面が戸枠の縦枠部材に密着状態で当接していない場合でも、当設部材本体に組み込まれた磁性部材の先端部が、戸当たりを構成する磁性部材とばね部材の付勢力に抗して突出した状態で磁着することで、引戸の振れ防止効果を確実に発揮するようにすることができる。
また、本発明の引戸用戸当たり装置は、引戸が開放状態のときに、戸当たり及び当設部材に引戸の開口部に突出する部分がないため、歩行者にとって安全性が高いものである。
【図面の簡単な説明】
【００１４】
【図１】本発明の引戸用戸当たり装置の第１実施例の説明図で、（ａ）は引戸が開放されているときの状態、（ｂ）は引戸が閉鎖されているときの状態をそれぞれ示す。
【図２】同引戸用戸当たり装置の戸当たりの戸当たり本体の説明図で、（ａ）は正面図、（ｂ）は平面図、（ｃ）は底面図、（ｄ）は右側面図ある。
【図３】同引戸用戸当たり装置の戸当たりの磁性部材の説明図で、（ａ）は正面図、（ｂ）は平面図、（ｃ）は底面図、（ｄ）は右側面図ある。
【図４】同引戸用戸当たり装置の当設部材の説明図で、（ａ）は磁性部材が収納されているときの状態を、（ｂ）は磁性部材が突出しているときの状態をそれぞれ示す。
【図５】本発明の引戸用戸当たり装置の第２実施例を示す説明図である。
【発明を実施するための形態】
【００１５】
以下、本発明の引戸用戸当たり装置の実施の形態を、図面に基づいて説明する。
【実施例１】
【００１６】
図１〜図４に、本発明の引戸用戸当たり装置の第１実施例を示す。
この引戸用戸当たり装置は、床面Ｆに設置される戸当たり１と、引戸Ｄの戸当たり１に対応する位置に設置される当設部材２とからなるもので、戸当たり１が、弾性体からなる戸当たり本体１１と、この戸当たり本体１１に組み込まれた磁性部材１２とからなり、当設部材２が、当設部材本体２１に出没可能に組み込まれた、戸当たり本体１１に組み込まれた磁性部材１２と磁着する磁性部材２２と、この磁性部材２２を当設部材本体２１内に没入する方向に付勢するばね部材２３とからなり、戸当たり本体１１の当設部材２と対する面に、当設部材本体２１に組み込まれた磁性部材２２の先端部が突出した状態で嵌まり込む凹部１３を形成してなるようにしている。
【００１７】
この場合において、戸当たり１の磁性部材１２と、当設部材２の磁性部材２２とは、少なくとも一方を磁石で構成すればよく、本実施例においては、戸当たり１の戸当たり本体１１に組み込まれた磁性部材１２を、普通鋼等の磁性金属製の床面設置部材で構成し、この床面設置部材をビス１４によって床面Ｆに設置した状態で戸当たり本体１１で覆うようにするとともに、当設部材２の磁性部材２２を磁石２２ａで構成するようにしている。
これにより、床面Ｆに設置される戸当たり１を、簡易な構造で、床面Ｆに強固に設置するようにすることができる。
【００１８】
戸当たり本体１１は、ポリオレフィン樹脂等からなる熱可塑性エラストマー、ニトリルブタジエンゴム（ＮＢＲ）等からなる合成ゴム、シリコーンゴム等のゴム状の弾性体からなり、戸当たり本体１１の当設部材２と対する面に、当設部材本体２１に組み込まれた磁性部材２２の先端部が突出した状態で嵌まり込む凹部１３を形成するようにしている。
凹部１３の形状は、当設部材本体２１に組み込まれた磁性部材２２の先端部が確実に嵌まり込むように、磁性部材２２の先端部の形状より若干大きく形成するようにする。具体的には、例えば、磁性部材２２の先端部の形状が、φ１４の円柱形状の場合は、幅寸法１６〜２０ｍｍ程度（本実施例においては、１８ｍｍ。）、上下方向の寸法２０〜４０ｍｍ程度（本実施例においては、３０ｍｍ。）、深さ３〜１０ｍｍ程度（本実施例においては、５ｍｍ。）の長円形状の凹部に形成するようにしている。
【００１９】
当設部材２は、引戸Ｄの戸当たり１に対応する位置に形成した下穴に設置される当設部材本体２１と、この当設部材本体２１に出没可能に組み込まれた、戸当たり本体１１に組み込まれた磁性部材１２と磁着する円柱状の磁性部材２２と、この磁性部材２２を当設部材本体２１内に没入する方向に付勢するばね部材２３とからなる。
ここで、磁性部材２２は、炭素鋼等のピン部材２２ｂの先端部にネオジウム磁石等の磁石２２ａを備えるとともに、その外表面をエチレンプロピレンゴム等の弾性体からなるカバー部材２２ｃで覆って構成するようにしている。
そして、磁性部材２２が、引戸Ｄの木口面が戸当たり１に密着状態で当接していない場合でも、戸当たり本体１１の当設部材２と対する面に形成した凹部１３に、磁性部材２２の先端部が確実に嵌まり込むように、磁性部材２２の当設部材本体２１からの最大突出量は、５〜１５ｍｍ程度（本実施例においては、７ｍｍ。）に設定するようにしている。
【００２０】
この引戸用戸当たり装置によれば、床面Ｆに設置される戸当たり１の弾性体からなる戸当たり本体１１によって、引戸Ｄを開閉位置でオーバーランすることなく所定位置で停止させることができるとともに、建付精度の影響や引戸Ｄが反動で戸当たり１との間に隙間が空くことによって、引戸Ｄの木口面が戸当たり１に密着状態で当接していない場合でも、戸当たり本体１１の当設部材２と対する面に形成した凹部１３に、当設部材本体２１に組み込まれた磁性部材２２の先端部が、戸当たり本体１１に組み込まれた磁性部材１２と磁着することによってばね部材２３の付勢力に抗して突出した状態で嵌まり込むことで、引戸Ｄの下部の振れ防止効果を確実に発揮するようにすることができる。
ここで、磁性部材１２、２２同士の磁着力及びばね部材２３の付勢力を適宜調整することによって、引戸Ｄと戸当たり１との間に隙間が生じないようにすることもできる。
また、この引戸用戸当たり装置は、引戸Ｄが開放状態のときに、戸当たり１及び当設部材２に歩行の障害になる引戸Ｄの開口部に突出する部分がないため、蹴躓くことがなく歩行者にとって安全性が高いものである。
【実施例２】
【００２１】
図５に、本発明の引戸用戸当たり装置の第２実施例を示す。
この引戸用戸当たり装置は、戸枠の縦枠部材Ｔに設置される戸当たり３と、引戸Ｄの戸当たり３に対応する位置に設置される当設部材２とからなる引戸用戸当たり装置において、戸当たり３が、磁性部材からなり、当設部材２が、当設部材本体２１に出没可能に組み込まれた、戸当たり３の磁性部材と磁着する磁性部材２２と、磁性部材２２を当設部材本体２１内に没入する方向に付勢するばね部材２３とからなるようにしている。
【００２２】
この場合において、戸当たり３を構成する磁性部材と、当設部材２の磁性部材２２とは、少なくとも一方を磁石で構成すればよく、本実施例においては、戸当たり３を構成する磁性部材を、普通鋼等の磁性金属製の縦枠設置部材で構成し、この縦枠設置部材をビス３１によって戸枠の縦枠部材Ｔに設置するようにするとともに、上記第１実施例と同様、当設部材２の磁性部材２２を磁石２２ａで構成するようにしている。
なお、戸枠の縦枠部材Ｔに戸決り（とじゃくり）が形成されていない場合等で、戸当たり３と当設部材２との拘束力、特に、引戸Ｄの厚み方向の拘束力を強めたい場合は、戸当たり３を構成する磁性部材である縦枠設置部材の当設部材２と対する面に、上記第１実施例の戸当たり本体１１に形成した凹部１３と同様の凹部（図示省略）を形成するようにすることもできる。
【００２３】
この引戸用戸当たり装置によれば、建付精度の影響や引戸Ｄが反動で戸当たりとの間に隙間が空くことによって、引戸Ｄの木口面が戸枠の縦枠部材Ｔに密着状態で当接していない場合でも、当設部材本体２１に組み込まれた磁性部材２２の先端部が、戸当たり３を構成する磁性部材とばね部材２３の付勢力に抗して突出した状態で磁着することで、引戸Ｄの振れ防止効果を確実に発揮するようにすることができる。
ここで、戸当たり３を構成する磁性部材と当設部材２の磁性部材２２同士の磁着力及びばね部材２３の付勢力を適宜調整することによって、引戸Ｄと戸当たり３、すなわち、戸枠の縦枠部材Ｔとの間に隙間が生じないようにすることもできる。
また、この引戸用戸当たり装置は、引戸Ｄが開放状態のときに、戸当たり３及び当設部材２に引戸Ｄの開口部に突出する部分がないため、歩行者にとって安全性が高いものである。
【００２４】
以上、本発明の引戸用戸当たり装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の引戸用戸当たり装置は、建付精度の影響や引戸が反動で戸当たりとの間に隙間が空くことによって、引戸の木口面が戸当たりに密着状態で当接していない場合でも、引戸の下部の振れ防止効果を確実に発揮できるとともに、歩行の障害にならないことから、吊戸式のアウトセット引戸の用途に好適に用いることができるほか、吊戸式のアウトセット引戸以外の吊戸式の引戸や下レール式の一般的な引戸の用途にも用いることができる。
【符号の説明】
【００２６】
１  戸当たり
１１  戸当たり本体
１２  磁性部材（床面設置部材）
１３  凹部
１４  ビス
２  当設部材
２１  当設部材本体
２２  磁性部材
２２ａ  磁石
２２ｂ  ピン部材
２２ｃ  カバー部材
２３  ばね部材
３  戸当たり
３１  ビス（縦枠設置部材）
Ｄ  引戸
Ｆ  床面
Ｔ  戸枠の縦枠部材
【図１】
2019199685.tif 000003
【図２】
2019199685.tif 000004
【図３】
2019199685.tif 000005
【図４】
2019199685.tif 000006
【図５】
2019199685.tif 000007